(57)【特許請求の範囲】
【請求項１】
少なくとも二本の中空筒体を適宜間隔で立設し、一方の中空筒体に収納された可撓性帯状体を該中空筒体の上部から引き出してその先端に止着した円筒状フック体を他方の中空筒体の上部外周に上下方向に配設された係止杆に外嵌させて係止することにより、両中空筒体間に前記可撓性帯状体を張設するように構成された柵用支柱において、
前記係止杆に外嵌可能な嵌挿孔を有する内筒体と、側周面に上下方向の開口縁を備え、前記内筒体の外周を囲繞するように配設される断面略Ｃ字形のカバー体と、前記内筒体の嵌挿孔と連通する嵌挿口を備え、カバー体の上下両端部に夫々嵌着されるエンドキャップとにより円筒状フック体を構成し、該円筒状フック体の内筒体に可撓性帯状体の先端部を巻装し、その外周をカバー体で囲繞するとともに該カバー体の開口縁に可撓性帯状体を挿通させ、さらに該カバー体の上下両端部にエンドキャップを嵌着することにより、可撓性帯状体と円筒状フック体とを連結するようにしたことを特徴とする柵用支柱における可撓性帯状体と円筒状フック体との連結構造。
【発明の詳細な説明】
【０００１】
【発明の属する技術分野】
本発明は、柵用支柱における可撓性帯状体と円筒状フック体との連結構造に関する。
【０００２】
【従来の技術】
中空筒体からなる複数の支柱を適宜間隔で立設し、これら支柱の上部間に亘って可撓性帯状体を張設して歩行者の通行規制等に用いる柵用支柱において、前記可撓性帯状体を不使用時に中空筒体内に収納し得るようにした柵用支柱は本願出願人によって先に出願（特願平７−２２４８０９号）されている。
【０００３】
かかる柵用支柱ａは、図７に示すように、中空筒体ｂの上部に形成された引き出し口ｃから引き出される可撓性帯状体ｄの先端に円筒状フック体ｅが止着されており、また、中空筒体ｂの前記引き出し口ｃの反対側には前記円筒状フック体ｅを外嵌可能な係止杆ｆが上下方向に配設されている。そして、該係止杆ｆに他の柵用支柱ａから引き出された可撓性帯状体ｄの円筒状フック体ｅを外嵌して係止することにより、隣接する二本の柵用支柱ａ，ａ間に可撓性帯状体ｄを張設し得るようになっている。
【０００４】
図８，図９は、従来の柵用支柱における可撓性帯状体ｄと円筒状フック体ｅとの連結構造を示すものである。ここで、従来の円筒状フック体ｅは、薄肉状金属板を屈曲成形することにより、側周面に上下方向の開口縁ｇを備えた断面略Ｃ字形のフック部ｈと、前記開口縁ｇから側方に延出する一対の挟持板部ｉ，ｉとが一体に形成され、さらに該挟持板部ｉ，ｉには複数の挿通孔ｊが穿設されている。また、可撓性帯状体ｄの先端部には、前記挿通孔ｊに夫々対応する位置に複数の透孔ｋが穿設されている。そして、該透孔ｋを挿通孔ｊに一致させた状態で、可撓性帯状体ｄの先端部を円筒状フック体ｅの挟持板部ｉ，ｉに挟み込んで、各挿通孔ｊに挿通させたリベットｍをかしめることにより、可撓性帯状体ｄと円筒状フック体ｅとを連結するようにしている。
【０００５】
【発明が解決しようとする課題】
かかる従来構成にあっては、一枚の薄肉状金属板の屈曲成形によって円筒状フック体ｅを形成しているため、強度が低く変形し易いという問題点があり、また、板を厚くすると成形加工が困難になるという問題点がある。また、可撓性帯状体ｄを、その透孔ｋに挿通したリベットｍによって固定しているため、強い引張力がかかると透孔ｋから可撓性帯状体ｄが破断してしまうという問題点がある。
【０００６】
また、可撓性帯状体ｄの収納時に、円筒状フック体ｅの挟持板部ｉ，ｉが中空筒体ｂの引き出し口ｃ内に収納されるため、挟持板部ｉ，ｉの両側に突出するリベットｍの頭部が引き出し口ｃの周縁に引っ掛からないように、小さいリベットｍを用いる必要があり、このリベットｍをかしめる技術が難しく作業性が悪いという問題点がある。さらに、リベットｍの頭部が挟持板部ｉ，ｉの表面に露出しているため、その意匠性が悪い等の問題点がある。
【０００７】
本発明は、かかる従来の問題点を解消し得る可撓性帯状体と円筒状フック体との連結構造の提供を目的とするものである。
【０００８】
【課題を解決するための手段】
本発明は、少なくとも二本の中空筒体を適宜間隔で立設し、一方の中空筒体に収納された可撓性帯状体を該中空筒体の上部から引き出してその先端に止着した円筒状フック体を他方の中空筒体の上部外周に上下方向に配設された係止杆に外嵌させて係止することにより、両中空筒体間に前記可撓性帯状体を張設するように構成された柵用支柱において、
前記係止杆に外嵌可能な嵌挿孔を有する内筒体と、側周面に上下方向の開口縁を備え、前記内筒体の外周を囲繞するように配設される断面略Ｃ字形のカバー体と、前記内筒体の嵌挿孔と連通する嵌挿口を備え、カバー体の上下両端部に夫々嵌着されるエンドキャップとにより円筒状フック体を構成し、該円筒状フック体の内筒体に可撓性帯状体の先端部を巻装し、その外周をカバー体で囲繞するとともに該カバー体の開口縁に可撓性帯状体を挿通させ、さらに該カバー体の上下両端部にエンドキャップを嵌着することにより、可撓性帯状体と円筒状フック体とを連結するようにしたことを特徴とするものである。
【０００９】
この構成にあって、可撓性帯状体の先端部を内筒体に巻装し、その外周をカバー体で囲繞して、該カバー体と前記内筒体とによって可撓性帯状体を挟持し、その挟持状態を保持するエンドキャップをカバー体の上下両端部に強制的に嵌着することにより可撓性帯状体が固定される。これにより、従来のようにリベットを使用しないので意匠性が向上し、可撓性帯状体にリベットを挿通させる透孔等を穿設しないので強い引張力がかかっても可撓性帯状体が連結部分から破断することがなく、また、エンドキャップの嵌着によって固定を行なうので、面倒なリベットのかしめ作業が不要であり、連結作業を容易に行ない得るので作業性が向上され得る。さらに、内筒体とカバー体とによる二重構造であるため、強度が高く変形しにくいものとなる。
【００１０】
【発明の実施の形態】
本発明の一実施例を、図１〜図６について説明する。
【００１１】
図１は、本発明を適用した柵用支柱１を示す図面である。２は該柵用支柱１を構成する中空筒体であって、支持基板３上に立設され、移動可能に設けられている。
【００１２】
前記中空筒体２内には、所定の長さを有する天然繊維製或は化学繊維製の可撓性帯状体４が収納されている。該可撓性帯状体４は、中空筒体２の上部外周面に上下方向に沿って形成された引き出し口５から側方へ引き出し得るようになっている。
【００１３】
また、可撓性帯状体４の先端には円筒状フック体６が止着されており、可撓性帯状体４が中空筒体２内に完全に収納された状態において、前記円筒状フック体６が引き出し口５の周縁に当接し、可撓性帯状体４の先端が中空筒体２内に引き込まれないようになっている。
【００１４】
さらに、中空筒体２の上部外周面には、前記引き出し口５の反対側に前記円筒状フック体６を外嵌可能な係止杆７が上下方向に配設され、該係止杆７に他の柵用支柱１から引き出された可撓性帯状体４の円筒状フック体６を外嵌して係止し得るようになっている。
【００１５】
次に、本発明にかかる可撓性帯状体４と円筒状フック体６との連結構造を、図２〜図６について説明する。
【００１６】
円筒状フック体６は、前記係止杆７に外嵌可能な嵌挿孔８を有する内筒体９と、側周面に上下方向の開口縁１０を備え、前記内筒体９の外周を囲繞するように配設される断面略Ｃ字形のカバー体１１と、前記内筒体９の嵌挿孔８と連通する嵌挿口１２を備え、カバー体１１の上下両端部に夫々嵌着されるエンドキャップ１３，１３とにより構成されている。
【００１７】
ここで前記内筒体９は、薄肉状金属パイプ等からなり、可撓性帯状体４の縦幅と略同一の長さ寸法に形成され、その内部を前記係止杆７に外嵌可能な嵌挿孔８としている。
【００１８】
また、前記カバー体１１は、薄肉状金属板等を屈曲成形することにより、側周面に上下方向の開口縁１０を備えた断面略Ｃ字形のフック部１４と、前記開口縁１０から側方に延出する一対の挟持板部１５，１５とを一体形成してなるものである。このカバー体１１の長さは前記内筒体９の長さと略同一寸法に設けられている。また、フック部１４の内径は、前記内筒体９の外径より若干大きく設けられているが、図３に示すように、フック部１４を内筒体９に外嵌させた状態において、内筒体９の外周面とフック部１４の内周面との間に生じる隙間Ｓ1 が、可撓性帯状体４の厚みＳ2 より若干小さくなるように設定されている。
【００１９】
また、前記エンドキャップ１３，１３は、同一形状で上下一対に形成される。各エンドキャップ１３は、短寸状の円筒部１６とその一端に連成された蓋板部１７とからなり、金属を素材に用いて形成されている。蓋板部１７には、前記内筒体９の嵌挿孔８と連通可能な嵌挿口１２が開口されており、該嵌挿口１２の内径は、内筒体９の嵌挿孔８の内径と略同一寸法に設けられている。また、円筒部１６の内径は、前記カバー体１１のフック部１４の外径より若干小さく設定されている。
【００２０】
さらに、前記円筒部１６の端面には、カバー体１１のフック部１４への外嵌を容易とするための案内傾斜面１８が形成されている。また、円筒部１６の側周面には、カバー体１１との嵌合時に該カバー体１１の挟持板部１５，１５を挿通させるための切欠溝１９が形成されている。
【００２１】
次にその連結手順及び作用について説明する。
まず、円筒状フック体６の内筒体９に対して可撓性帯状体４の先端部をＵ字状に折り返して巻装する。尚、この時、予めＵ字状に折り返した端部を縫着して可撓性帯状体４の先端部を筒状にしておき、この筒状部に内筒体９を挿通することによって該内筒体９に可撓性帯状体４の先端部を巻装するようにしてもよい。
【００２２】
次いで、上記のように可撓性帯状体４の先端部を巻装させた内筒体９に対してカバー体１１のフック部１４を外嵌させるとともに、該フック部１４の開口縁１０に可撓性帯状体４を挿通させて、可撓性帯状体４の巻装部の外周をカバー体１１で囲繞する。ここで前記のように、内筒体９の外周面とフック部１４の内周面との隙間Ｓ1 が、可撓性帯状体４の厚みＳ2 より若干小さく設定されていることにより、内筒体９とフック部１４との間に可撓性帯状体４が介装されると、フック部１４はその本来の外径よりも若干広げられた状態となる。
【００２３】
そしてこの状態で、カバー体１１のフック部１４の上下両端部にエンドキャップ１３，１３の円筒部１６を夫々外嵌させる。この時、カバー体１１の挟持板部１５，１５と円筒部１６の切欠溝１９の位置を合わせておき、嵌合時に該切欠溝１９に挟持板部１５，１５が挿通されるようにする。ここで、円筒部１６の内径が、フック部１４の外径より若干小さく設定されていることにより、この円筒部１６を本来の外径よりも若干広げられたフック部１４の上下両端部に強制的に外嵌させることによって、フック部１４が縮径され、これに伴なって該フック部１４と内筒体９とによって可撓性帯状体４の巻装部が強力に挟持される状態が得られる。また、この強制嵌合によってエンドキャップ１３もカバー体１１から容易に外れない固定状態となる。これにより、可撓性帯状体４の先端部と円筒状フック体６とが連結される。
【００２４】
【発明の効果】
本発明は、上述のように、可撓性帯状体４の先端部を内筒体９に巻装し、その外周をカバー体１１で囲繞して、該カバー体１１と前記内筒体９とによって可撓性帯状体４を挟持し、その挟持状態を保持するエンドキャップ１３，１３をカバー体１１の上下両端部に嵌着することにより可撓性帯状体４と円筒状フック体６とを連結するようにしたから、従来のようなリベットを使用するものと比較して意匠性が向上し、可撓性帯状体４にリベットを挿通させる透孔等を穿設しないので強い引張力がかかっても可撓性帯状体４が連結部分から破断することがなく、また、エンドキャップ１３の嵌着によって固定を行なうので、面倒なリベットのかしめ作業が不要であり、連結作業を容易に行ない得るので作業性が向上され得る。さらに、内筒体９とカバー体１１とによる二重構造であるため、強度が高く変形しにくい等の優れた効果がある。
【図面の簡単な説明】
【図１】本発明を適用した柵用支柱の正面図である。
【図２】本発明の一実施例の分解斜視図である。
【図３】内筒体９にカバー体１１を外嵌した状態の平面図である。
【図４】エンドキャップ１３の縦断面図である。
【図５】可撓性帯状体４と円筒状フック体６との連結状態を示す一部切欠正面図である。
【図６】同上の連結状態の横断面図である。
【図７】従来構成を備えた柵用支柱の正面図である。
【図８】従来構成の分解斜視図である。
【図９】同上の連結状態の横断面図である。
【符号の説明】
１  柵用支柱
２  中空筒体
４  可撓性帯状体
６  円筒状フック体
７  係止杆
８  嵌挿孔
９  内筒体
１０  開口縁
１１  カバー体
１２  嵌挿口
１３  エンドキャップ
【図１】
0003751374.tif 000002
【図２】
0003751374.tif 000003
【図３】
0003751374.tif 000004
【図４】
0003751374.tif 000005
【図５】
0003751374.tif 000006
【図６】
0003751374.tif 000007
【図７】
0003751374.tif 000008
【図８】
0003751374.tif 000009
【図９】
0003751374.tif 000010